(57)【要約】【課題】様々なフィルタ回路特性に容易に対応させること。【解決手段】ノイズ成分を低減させるノイズ低減素子１１、ノイズ低減素子の第１接続部が電気的に接続された第１回路接続部材１２及びノイズ低減素子の第２接続部が電気的に接続された第２回路接続部材１３を備える複数のフィルタ回路１０と、主フィルタ回路１０Ａの第１回路接続部材に対して、電線ＷＥ１の芯線ＷＥａの中間接続部ＷＥ１ａを電気的に接続させる第１電気接続構造３０と、主フィルタ回路の第２回路接続部材を接地させる第２電気接続構造４０と、隣り合うフィルタ回路の第１回路接続部材同士を間接的又は直接的に電気接続させ且つ切り離すことが可能な第１連結体５１と、隣り合うフィルタ回路の第２回路接続部材同士を間接的又は直接的に電気接続させ且つ切り離すことが可能な第２連結体５２と、を備えること。【選択図】図１
2020010122.tif 000002
【特許請求の範囲】
【請求項１】
ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備える複数のフィルタ回路と、
１つの主フィルタ回路と残りの副フィルタ回路とに大別された複数の前記フィルタ回路の内の前記主フィルタ回路の前記第１回路接続部材に対して、電線の芯線の中間接続部を電気的に接続させる第１電気接続構造と、
前記主フィルタ回路の前記第２回路接続部材を接地させる第２電気接続構造と、
隣り合う前記フィルタ回路の前記第１回路接続部材同士を間接的又は直接的に電気接続させることが可能で、かつ、隣り合う前記フィルタ回路のそれぞれの前記第１回路接続部材の間を切り離すことが可能な第１連結体と、
隣り合う前記フィルタ回路の前記第２回路接続部材同士を間接的又は直接的に電気接続させることが可能で、かつ、隣り合う前記フィルタ回路のそれぞれの前記第２回路接続部材の間を切り離すことが可能な第２連結体と、
を備えることを特徴としたノイズフィルタ。
【請求項２】
前記第１電気接続構造は、前記電線の前記芯線の前記中間接続部に対して物理的且つ電気的に接続される電線側接続部と、前記主フィルタ回路の前記第１回路接続部材に対して物理的且つ電気的に接続される回路側接続部と、を有する電気接続部材であることを特徴とした請求項１に記載のノイズフィルタ。
【請求項３】
前記回路側接続部は、前記主フィルタ回路の前記第１回路接続部材に対して着脱自在となる形状のものとして形成することを特徴とした請求項２に記載のノイズフィルタ。
【請求項４】
前記第１連結体は、隣り合う前記フィルタ回路のそれぞれの前記第１回路接続部材の内の一方に設け、その内の他方に対して電気接続可能で且つ着脱自在となるように形成し、
前記第２連結体は、隣り合う前記フィルタ回路のそれぞれの前記第２回路接続部材の内の一方に設け、その内の他方に対して電気接続可能で且つ着脱自在となるように形成することを特徴とした請求項１，２又は３に記載のノイズフィルタ。
【請求項５】
前記第１連結体と前記第２連結体は、各々、複数の前記フィルタ回路毎に設け、
前記第１連結体は、隣り合う前記フィルタ回路のそれぞれの前記第１回路接続部材の内の一方に対して物理的且つ電気的に接続される着脱自在な第１連結部と、その内の他方に接続された隣の前記第１連結体に対して物理的且つ電気的に接続される着脱自在な第２連結部と、を有し、
前記第２連結体は、隣り合う前記フィルタ回路のそれぞれの前記第２回路接続部材の内の一方に対して物理的且つ電気的に接続される着脱自在な第１連結部と、その内の他方に接続された隣の前記第２連結体に対して物理的且つ電気的に接続される着脱自在な第２連結部と、を有することを特徴とした請求項１，２又は３に記載のノイズフィルタ。
【請求項６】
前記第２電気接続構造は、一方の端部が接地されているアース電線の芯線の中間接続部を前記主フィルタ回路の前記第２回路接続部材に対して電気的に接続させるものとして形成することを特徴とした請求項１から５の内の何れか１つに記載のノイズフィルタ。
【請求項７】
前記第２電気接続構造は、前記主フィルタ回路の前記第２回路接続部材を接地させるためのアース端子を備えることを特徴とした請求項１から５の内の何れか１つに記載のノイズフィルタ。
【請求項８】
前記第１電気接続構造は、前記電線の前記芯線の前記中間接続部に対して物理的且つ電気的に接続される電線側接続部と、複数の前記フィルタ回路のそれぞれの前記第１回路接続部材に対して物理的且つ電気的に接続される回路側接続部と、を有する電気接続部材であり、
前記回路側接続部は、隣り合う前記フィルタ回路のそれぞれの前記第１回路接続部材に対して接続される２つの接続部位の間を前記第１連結体として利用することを特徴とした請求項１に記載のノイズフィルタ。
【請求項９】
電線を含む幹線と、
ノイズ成分を低減させるノイズフィルタと、
を備え、
前記ノイズフィルタは、
ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備える複数のフィルタ回路と、
１つの主フィルタ回路と残りの副フィルタ回路とに大別された複数の前記フィルタ回路の内の前記主フィルタ回路の前記第１回路接続部材に対して、前記電線の芯線の中間接続部を電気的に接続させる第１電気接続構造と、
前記主フィルタ回路の前記第２回路接続部材を接地させる第２電気接続構造と、
隣り合う前記フィルタ回路の前記第１回路接続部材同士を間接的又は直接的に電気接続させることが可能で、かつ、隣り合う前記フィルタ回路のそれぞれの前記第１回路接続部材の間を切り離すことが可能な第１連結体と、
隣り合う前記フィルタ回路の前記第２回路接続部材同士を間接的又は直接的に電気接続させることが可能で、かつ、隣り合う前記フィルタ回路のそれぞれの前記第２回路接続部材の間を切り離すことが可能な第２連結体と、
を備えることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、ノイズフィルタは、フィルタ回路特性（共振点やノイズ低減性能等）を変更する際に、フィルタ回路の回路構成を再構築しなければならない。しかしながら、従来のノイズフィルタは、フィルタ回路特性毎の専用品であり、フィルタ回路特性を変更する度に、適用対象となる全ての部品を設計し直したり配置し直したりする必要がある。つまり、従来のノイズフィルタは、多様なフィルタ回路特性への対応という点で改善の余地がある。
【０００５】
そこで、本発明は、様々なフィルタ回路特性に容易に対応し得るノイズフィルタ及びワイヤハーネスを提供することを、その目的とする。
【課題を解決するための手段】
【０００６】
上記目的を達成する為、本発明に係るノイズフィルタは、ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備える複数のフィルタ回路と、１つの主フィルタ回路と残りの副フィルタ回路とに大別された複数の前記フィルタ回路の内の前記主フィルタ回路の前記第１回路接続部材に対して、電線の芯線の中間接続部を電気的に接続させる第１電気接続構造と、前記主フィルタ回路の前記第２回路接続部材を接地させる第２電気接続構造と、隣り合う前記フィルタ回路の前記第１回路接続部材同士を間接的又は直接的に電気接続させることが可能で、かつ、隣り合う前記フィルタ回路のそれぞれの前記第１回路接続部材の間を切り離すことが可能な第１連結体と、隣り合う前記フィルタ回路の前記第２回路接続部材同士を間接的又は直接的に電気接続させることが可能で、かつ、隣り合う前記フィルタ回路のそれぞれの前記第２回路接続部材の間を切り離すことが可能な第２連結体と、を備えることを特徴としている。
【０００７】
ここで、前記第１電気接続構造は、前記電線の前記芯線の前記中間接続部に対して物理的且つ電気的に接続される電線側接続部と、前記主フィルタ回路の前記第１回路接続部材に対して物理的且つ電気的に接続される回路側接続部と、を有する電気接続部材であることが望ましい。
【０００８】
また、前記回路側接続部は、前記主フィルタ回路の前記第１回路接続部材に対して着脱自在となる形状のものとして形成することが望ましい。
【０００９】
また、前記第１連結体は、隣り合う前記フィルタ回路のそれぞれの前記第１回路接続部材の内の一方に設け、その内の他方に対して電気接続可能で且つ着脱自在となるように形成し、前記第２連結体は、隣り合う前記フィルタ回路のそれぞれの前記第２回路接続部材の内の一方に設け、その内の他方に対して電気接続可能で且つ着脱自在となるように形成することが望ましい。
【００１０】
また、前記第１連結体と前記第２連結体は、各々、複数の前記フィルタ回路毎に設け、前記第１連結体は、隣り合う前記フィルタ回路のそれぞれの前記第１回路接続部材の内の一方に対して物理的且つ電気的に接続される着脱自在な第１連結部と、その内の他方に接続された隣の前記第１連結体に対して物理的且つ電気的に接続される着脱自在な第２連結部と、を有し、前記第２連結体は、隣り合う前記フィルタ回路のそれぞれの前記第２回路接続部材の内の一方に対して物理的且つ電気的に接続される着脱自在な第１連結部と、その内の他方に接続された隣の前記第２連結体に対して物理的且つ電気的に接続される着脱自在な第２連結部と、を有することが望ましい。
【００１１】
また、前記第２電気接続構造は、一方の端部が接地されているアース電線の芯線の中間接続部を前記主フィルタ回路の前記第２回路接続部材に対して電気的に接続させるものとして形成することが望ましい。
【００１２】
また、前記第２電気接続構造は、前記主フィルタ回路の前記第２回路接続部材を接地させるためのアース端子を備えることが望ましい。
【００１３】
また、前記第１電気接続構造は、前記電線の前記芯線の前記中間接続部に対して物理的且つ電気的に接続される電線側接続部と、複数の前記フィルタ回路のそれぞれの前記第１回路接続部材に対して物理的且つ電気的に接続される回路側接続部と、を有する電気接続部材であり、前記回路側接続部は、隣り合う前記フィルタ回路のそれぞれの前記第１回路接続部材に対して接続される２つの接続部位の間を前記第１連結体として利用することが望ましい。
【００１４】
また、上記目的を達成する為、本発明に係るワイヤハーネスは、電線を含む幹線と、ノイズ成分を低減させるノイズフィルタと、を備え、前記ノイズフィルタは、ノイズ成分を低減させるノイズ低減素子、前記ノイズ低減素子の第１接続部が電気的に接続された導電性の第１回路接続部材及び前記ノイズ低減素子の第２接続部が電気的に接続された導電性の第２回路接続部材を備える複数のフィルタ回路と、１つの主フィルタ回路と残りの副フィルタ回路とに大別された複数の前記フィルタ回路の内の前記主フィルタ回路の前記第１回路接続部材に対して、前記電線の芯線の中間接続部を電気的に接続させる第１電気接続構造と、前記主フィルタ回路の前記第２回路接続部材を接地させる第２電気接続構造と、隣り合う前記フィルタ回路の前記第１回路接続部材同士を間接的又は直接的に電気接続させることが可能で、かつ、隣り合う前記フィルタ回路のそれぞれの前記第１回路接続部材の間を切り離すことが可能な第１連結体と、隣り合う前記フィルタ回路の前記第２回路接続部材同士を間接的又は直接的に電気接続させることが可能で、かつ、隣り合う前記フィルタ回路のそれぞれの前記第２回路接続部材の間を切り離すことが可能な第２連結体と、を備えることを特徴としている。
【発明の効果】
【００１５】
本発明に係るノイズフィルタは、複数のフィルタ回路の内の隣り合うもの同士を第１連結体と第２連結体とで連結させる構成を採っており、連結させるフィルタ回路の個数を簡便に変更することができるので、ノイズ低減の要求性能に応じたフィルタ回路特性の容易な調整が可能になる。よって、このノイズフィルタは、様々なフィルタ回路特性に容易に対応することができる。また、本発明に係るワイヤハーネスは、そのようなノイズフィルタを具備するものであり、このノイズフィルタが得られる効果を奏することができる。
【図面の簡単な説明】
【００１６】
【図１】図１は、実施形態のノイズフィルタ及びワイヤハーネスを示す分解斜視図である。
【図２】図２は、実施形態のノイズフィルタ及びワイヤハーネスを示す斜視図である。
【図３】図３は、実施形態の第１電気接続部材と第２電気接続部材とを示す斜視図である。
【図４】図４は、実施形態の第１連結体と第２連結体とを示す斜視図である。
【図５】図５は、実施形態のノイズフィルタのフィルタ回路特性の概念図である。
【図６】図６は、変形例１のノイズフィルタ及びワイヤハーネスを示す分解斜視図である。
【図７】図７は、変形例１のノイズフィルタ及びワイヤハーネスの内部構造を示す斜視図である。
【図８】図８は、変形例１のノイズフィルタ及びワイヤハーネスの変形形態を示す分解斜視図である。
【図９】図９は、変形例１のノイズフィルタ及びワイヤハーネスの変形形態の内部構造を示す斜視図である。
【図１０】図１０は、変形例２のノイズフィルタ及びワイヤハーネスを示す分解斜視図である。
【図１１】図１１は、変形例２のノイズフィルタ及びワイヤハーネスの内部構造を示す斜視図である。
【図１２】図１２は、変形例２のノイズフィルタ及びワイヤハーネスの変形形態を示す分解斜視図である。
【図１３】図１３は、変形例２のノイズフィルタ及びワイヤハーネスの変形形態の内部構造を示す斜視図である。
【発明を実施するための形態】
【００１７】
以下に、本発明に係るノイズフィルタ及びワイヤハーネスの実施形態を図面に基づいて詳細に説明する。尚、この実施形態によりこの発明が限定されるものではない。
【００１８】
［実施形態］
本発明に係るノイズフィルタ及びワイヤハーネスの実施形態の１つを図１から図５に基づいて説明する。
【００１９】
図１及び図２の符号１は、本実施形態のノイズフィルタを示す。
【００２０】
このノイズフィルタ１は、ノイズ低減対象電線に乗った電気的なノイズ成分を低減させるノイズ低減装置であり、ノイズ成分を低減させるフィルタ回路を複数備える。このノイズフィルタ１において、それぞれのフィルタ回路は、全てが同じフィルタ回路特性のものであってもよく、複数種類のフィルタ回路特性のものを組み合わせたものであってもよい。このノイズフィルタ１は、その複数のフィルタ回路を電気的に接続させることができるように構成されたものであり、フィルタ回路の数量や組み合わせに応じて全体のフィルタ回路特性を変化させることができる。つまり、このノイズフィルタ１は、ノイズ低減対象電線のノイズ成分に応じたフィルタ回路特性を容易に調整し得るものである。
【００２１】
ここで、そのノイズ低減対象電線とは、例えば、車両のワイヤハーネスＷＨの幹線ＷＴが備える複数本の電線の内の１本であって、電源線として利用されている。その電源線には、例えば、デフォッガやハイマウントストップランプ等の負荷が電気的に接続されている。ノイズフィルタ１は、そのノイズ低減対象電線に接続することによって、ワイヤハーネスＷＨの構成要素の１つとなる。
【００２２】
また、このノイズフィルタ１は、複数のフィルタ回路の内の１つとノイズ低減対象電線とを電気的に接続させる第１電気接続構造と、その１つのフィルタ回路を接地させる第２電気接続構造と、を備える。複数のフィルタ回路については、その第１電気接続構造と第２電気接続構造とに対して物理的且つ電気的に接続させる１つの主フィルタ回路と、これ以外の残りの副フィルタ回路と、に大別する。
【００２３】
具体的に、この例示のノイズフィルタ１は、幹線ＷＴが備える２本の電線（第１電線ＷＥ１、第２電線ＷＥ２）の間に主フィルタ回路を介在させ、その２本の電線の中間部分同士を主フィルタ回路と第１電気接続構造と第２電気接続構造とを介して電気的に接続させる。この例示のワイヤハーネスＷＨにおいては、第１電線ＷＥ１をノイズ低減対象の電源線として利用し、第２電線ＷＥ２をアース線として利用する。第１電線ＷＥ１は、一方の端部が電源（例えば、車両の二次電池）に対して電気的に接続され、他方の端部が負荷に対して電気的に接続されている。また、第２電線ＷＥ２は、一方の端部が接地されている。第１電線ＷＥ１と第２電線ＷＥ２は、各々、導電性の芯線ＷＥａと、この芯線ＷＥａの外周面を覆う絶縁性の被覆ＷＥｂと、を備える。
【００２４】
このノイズフィルタ１は、ノイズ成分を低減させるフィルタ回路１０を複数備える（図１及び図２）。その複数のフィルタ回路１０の内の主フィルタ回路１０Ａは、第１電線ＷＥ１の中間部分に位置している芯線ＷＥａの一部分と第２電線ＷＥ２の中間部分に位置している芯線ＷＥａの一部分との間に介在させ、それぞれの芯線ＷＥａに対して電気的に接続させる。以下においては、その第１電線ＷＥ１の中間部分に位置している芯線ＷＥａの一部分を「中間接続部ＷＥ１ａ」と称し、かつ、第２電線ＷＥ２の中間部分に位置している芯線ＷＥａの一部分を「中間接続部ＷＥ２ａ」と称する。また、以下においては、その第１電線ＷＥ１の芯線ＷＥａの中間接続部ＷＥ１ａのことを「第１電線ＷＥ１の中間接続部ＷＥ１ａ」と簡略化し、かつ、その第２電線ＷＥ２の芯線ＷＥａの中間接続部ＷＥ２ａのことを「第２電線ＷＥ２の中間接続部ＷＥ２ａ」と簡略化する。
【００２５】
主フィルタ回路１０Ａは、その第１電線ＷＥ１の中間接続部ＷＥ１ａと第２電線ＷＥ２の中間接続部ＷＥ２ａとの間に介在させ、それぞれの中間接続部ＷＥ１ａ，ＷＥ２ａに対して電気的に接続させる（図１）。この主フィルタ回路１０Ａには、少なくとも１つの副フィルタ回路１０Ｂを連結させる。
【００２６】
フィルタ回路１０（主フィルタ回路１０Ａ、副フィルタ回路１０Ｂ）は、ノイズ成分を低減させる少なくとも１つのノイズ低減素子１１と、このノイズ低減素子１１の第１接続部（以下、「第１素子接続部」という。）が電気的に接続された導電性の第１接続部材（以下、「第１回路接続部材」という。）１２と、そのノイズ低減素子１１の第２接続部（以下、「第２素子接続部」という。）が電気的に接続された導電性の第２接続部材（以下、「第２回路接続部材」という。）１３と、を備える（図１及び図２）。尚、第１素子接続部と第２素子接続部については、図示を省略している。
【００２７】
ノイズ低減素子１１は、このノイズフィルタ１の回路構成でノイズの低減を図り得るものであれば、如何様なものを用いてもよい。例えば、ノイズ低減素子１１としては、コンデンサやコイル等が考えられる。それぞれのフィルタ回路１０では、ノイズ低減素子１１として２つのコンデンサを備えており、この２つのコンデンサでノイズの低減を図ることができるように構成する（図１及び図２）。図示しないが、その２つのノイズ低減素子１１は、絶縁性のモールド体で覆ってもよい。そのモールド体は、２つ以上のフィルタ回路１０のそれぞれのノイズ低減素子１１を一纏めに覆うように成形されたものであってもよい。
【００２８】
第１回路接続部材１２と第２回路接続部材１３は、ノイズ低減素子１１を介して互いを電気的に接続させる導電部材である。この例示の第１回路接続部材１２と第２回路接続部材１３は、各々、金属等の導電性材料で平板状のバスバとして成形されている。
【００２９】
フィルタ回路１０においては、第１回路接続部材１２と第２回路接続部材１３とを同一の平面上に並べて配置している。そして、このフィルタ回路１０においては、第１回路接続部材１２にノイズ低減素子１１の第１素子接続部を物理的且つ電気的に接続し、かつ、第２回路接続部材１３にノイズ低減素子１１の第２素子接続部を物理的且つ電気的に接続する。その接続形態としては、ノイズ低減素子１１の第１素子接続部や第２素子接続部の形態に応じて、例えば溶着や半田付け等が適用される。
【００３０】
更に、このノイズフィルタ１は、そのフィルタ回路１０を収容する筐体２０を備える（図１及び図２）。その筐体２０は、合成樹脂等の絶縁性材料で成形する。この筐体２０は、フィルタ回路１０が設置される主壁体（図示略）と、この主壁体の周縁部から立設させた周壁体２１ｂ−２１ｅと、を有する箱状に成形されており、その内方の空間をフィルタ回路１０の収容室２０ａとして利用する（図１）。この例示の筐体２０は、矩形の平板状の主壁体と、この主壁体の４つの辺部から各々垂設させた平板状の第１から第４の周壁体２１ｂ−２１ｅと、を有している。
【００３１】
更に、このノイズフィルタ１は、主フィルタ回路１０Ａの第１回路接続部材１２に対して第１電線ＷＥ１の中間接続部ＷＥ１ａを電気的に接続させる第１電気接続構造３０と、主フィルタ回路１０Ａの第２回路接続部材１３を接地させる第２電気接続構造４０と、を備える（図１及び図２）。
【００３２】
第１電気接続構造３０は、１つの接続部材（以下、「第１電気接続部材」という。）３０Ａとして、金属等の導電性材料で成形されたものである。この第１電気接続部材３０Ａは、第１電線ＷＥ１の中間接続部ＷＥ１ａに対して物理的且つ電気的に接続される第１電線側接続部３１と、主フィルタ回路１０Ａの第１回路接続部材１２に対して物理的且つ電気的に接続される第１回路側接続部３２と、を有する（図１から図３）。
【００３３】
第１電線側接続部３１は、例えば、互いに間隔を空けて対向配置された圧接刃を有するものとして形成する。この第１電線側接続部３１の圧接刃は、間に差し込んだ第１電線ＷＥ１の被覆ＷＥｂに切込みを入れて、第１電線ＷＥ１の芯線ＷＥａに食い込ませることによって、この第１電線ＷＥ１を電気接続状態で圧接固定する。
【００３４】
第１回路側接続部３２は、主フィルタ回路１０Ａの第１回路接続部材１２に対して着脱自在となる形状のものとして形成する。この第１回路側接続部３２は、例えば、第１回路接続部材１２を挟持することによって、この第１回路接続部材１２に対して物理的且つ電気的に接続させる。この例示の第１回路側接続部３２は、平面同士を互いに間隔を空けて対向配置させた片体状の第１片部３２ａと第２片部３２ｂとを有する（図３）。第１片部３２ａは、第１回路接続部材１２の一方の平面に対向配置させる。第２片部３２ｂは、第１回路接続部材１２の他方の平面に対向配置させる。この第１回路側接続部３２においては、第１片部３２ａと第２片部３２ｂの内の少なくとも一方に、第１回路接続部材１２に向けて突出させた接点部３２ｃを設ける（図３）。この例示では、第１片部３２ａに接点部３２ｃを設け、この接点部３２ｃと第２片部３２ｂの平面とで第１回路接続部材１２を挟持して、第１回路側接続部３２を第１回路接続部材１２に対して物理的且つ電気的に接続させる。この例示では、第１片部３２ａの一部を弧状に折り曲げた弧状部を接点部３２ｃとして利用している。但し、接点部３２ｃは、その第１片部３２ａから例えば半球面状に膨出させた膨出部を利用してもよい。
【００３５】
この第１電気接続部材３０Ａにおいては、第１片部３２ａと第２片部３２ｂとの間に、隣り合うフィルタ回路１０の配列方向に対する直交方向に沿って第１回路接続部材１２を挿入していく。このようにして、この第１電気接続部材３０Ａは、第１回路側接続部３２に第１回路接続部材１２を挟持させる。また、この第１電気接続部材３０Ａは、その第１回路側接続部３２を第１回路接続部材１２から抜き取ることもできる。
【００３６】
この第１電気接続部材３０Ａは、例えば、先ず、第１電線側接続部３１に第１電線ＷＥ１の中間接続部ＷＥ１ａを接続し、その後、第１回路側接続部３２で第１回路接続部材１２を挟み込む。
【００３７】
この例示の第１電気接続部材３０Ａは、第１回路接続部材１２を挟持している状態で第１回路接続部材１２の平面に沿って延在させたものであり、その延在方向に沿って第１電線側接続部３１と第１回路側接続部３２とを配置している。この例示の第１電線側接続部３１は、その延在方向に対する直交方向で且つ第１回路接続部材１２の平面に沿う方向に向けて第１電線ＷＥ１の軸線を沿わせるように形成している。但し、この第１電気接続部材３０Ａは、第１電線側接続部３１と第１回路側接続部３２との間に弧状部や屈曲部などを設けて折り曲げ、第１電線側接続部３１を第１回路接続部材１２に対してオフセットさせてもよい。これにより、このノイズフィルタ１及びワイヤハーネスＷＨは、車体に組み付けた状態での周辺部品との干渉対策を図ることができる。
【００３８】
ここで、この例示の第１回路側接続部３２は、筐体２０の収容室２０ａの中で第１回路接続部材１２を挟持する。よって、筐体２０の主壁体や第３周壁体２１ｄには、第１電線側接続部３１を筐体２０の外方に配置させると共に、第１回路側接続部３２を収容室２０ａの中に収めるための切欠き２１ｄ1を設けている（図１）。
【００３９】
本実施形態の第２電気接続構造４０は、一方の端部が接地されているアース電線としての第２電線ＷＥ２の中間接続部ＷＥ２ａを主フィルタ回路１０Ａの第２回路接続部材１３に対して電気的に接続させるものとして形成し、これにより、その第２回路接続部材１３を接地させる。
【００４０】
この第２電気接続構造４０は、１つの接続部材（以下、「第２電気接続部材」という。）４０Ａとして、金属等の導電性材料で成形されたものである。この第２電気接続部材４０Ａは、第２電線ＷＥ２の中間接続部ＷＥ２ａに対して物理的且つ電気的に接続される第２電線側接続部４１と、主フィルタ回路１０Ａの第２回路接続部材１３に対して物理的且つ電気的に接続される第２回路側接続部４２と、を有する（図１から図３）。
【００４１】
第２電線側接続部４１は、例えば、第１電線側接続部３１と同じように、互いに間隔を空けて対向配置された圧接刃を有するものとして形成する。
【００４２】
第２回路側接続部４２は、主フィルタ回路１０Ａの第２回路接続部材１３に対して着脱自在となる形状のものとして形成する。この第２回路側接続部４２は、例えば、第２回路接続部材１３を挟持することによって、この第２回路接続部材１３に対して物理的且つ電気的に接続させる。この例示の第２回路側接続部４２は、平面同士を互いに間隔を空けて対向配置させた片体状の第１片部４２ａと第２片部４２ｂとを有する（図３）。第１片部４２ａは、第２回路接続部材１３の一方の平面に対向配置させる。第２片部４２ｂは、第２回路接続部材１３の他方の平面に対向配置させる。この第２回路側接続部４２においては、第１片部４２ａと第２片部４２ｂの内の少なくとも一方に、第２回路接続部材１３に向けて突出させた接点部４２ｃを設ける（図３）。この例示では、第１片部４２ａに接点部４２ｃを設け、この接点部４２ｃと第２片部４２ｂの平面とで第２回路接続部材１３を挟持して、第２回路側接続部４２を第２回路接続部材１３に対して物理的且つ電気的に接続させる。この例示では、第１片部４２ａの一部を弧状に折り曲げた弧状部を接点部４２ｃとして利用している。但し、接点部４２ｃは、その第１片部４２ａから例えば半球面状に膨出させた膨出部を利用してもよい。
【００４３】
この第２電気接続部材４０Ａにおいては、第１片部４２ａと第２片部４２ｂとの間に、隣り合うフィルタ回路１０の配列方向に対する直交方向に沿って第２回路接続部材１３を挿入していく。このようにして、この第２電気接続部材４０Ａは、第２回路側接続部４２に第２回路接続部材１３を挟持させる。また、この第２電気接続部材４０Ａにおいては、その第２回路側接続部４２を第２回路接続部材１３から抜き取ることもできる。
【００４４】
この第２電気接続部材４０Ａは、例えば、先ず、第２電線側接続部４１に第２電線ＷＥ２の中間接続部ＷＥ２ａを接続し、その後、第２回路側接続部４２で第２回路接続部材１３を挟み込む。
【００４５】
この例示の第２電気接続部材４０Ａは、第２回路接続部材１３を挟持している状態で第２回路接続部材１３の平面に沿って延在させたものであり、その延在方向に沿って第２電線側接続部４１と第２回路側接続部４２とを配置している。この第２電気接続部材４０Ａの延在方向は、第１電気接続部材３０Ａの延在方向とは逆向きになっている。この例示の第２電線側接続部４１は、その延在方向に対する直交方向で且つ第２回路接続部材１３の平面に沿う方向に向けて第２電線ＷＥ２の軸線を沿わせるように形成している。但し、この第２電気接続部材４０Ａは、第２電線側接続部４１と第２回路側接続部４２との間に弧状部や屈曲部などを設けて折り曲げ、第２電線側接続部４１を第２回路接続部材１３に対してオフセットさせてもよい。これにより、このノイズフィルタ１及びワイヤハーネスＷＨは、車体に組み付けた状態での周辺部品との干渉対策を図ることができる。
【００４６】
ここで、この例示の第２回路側接続部４２は、筐体２０の収容室２０ａの中で第２回路接続部材１３を挟持する。よって、筐体２０の主壁体や第４周壁体２１ｅには、第２電線側接続部４１を筐体２０の外方に配置させると共に、第２回路側接続部４２を収容室２０ａの中に収めるための切欠き２１ｅ1を設けている（図１）。
【００４７】
この例示の第１電気接続部材３０Ａと第２電気接続部材４０Ａは、各々、金属板をプレス成形して形作られたものであり、同じ部品を用いている。
【００４８】
このノイズフィルタ１においては、全てのフィルタ回路１０の第１回路接続部材１２と第２回路接続部材１３とが同一の平面上に配置されるように、それぞれのフィルタ回路１０を連結させる。この例示のノイズフィルタ１においては、第１電線ＷＥ１と第２電線ＷＥ２のそれぞれの軸線方向に沿って、全てのフィルタ回路１０を直列に並べて配置する。
【００４９】
このノイズフィルタ１は、隣り合うフィルタ回路１０の第１回路接続部材１２同士を物理的且つ電気的に接続させる（つまり、直接的に電気接続させる）ことが可能で、かつ、隣り合うフィルタ回路１０のそれぞれの第１回路接続部材１２の間を切り離すことが可能な第１連結体５１を備える（図１から図３）。更に、このノイズフィルタ１は、隣り合うフィルタ回路１０の第２回路接続部材１３同士を物理的且つ電気的に接続させる（つまり、直接的に電気接続させる）ことが可能で、かつ、隣り合うフィルタ回路１０のそれぞれの第２回路接続部材１３の間を切り離すことが可能な第２連結体５２を備える（図１から図３）。第１連結体５１と第２連結体５２は、各々、連結対象となる主フィルタ回路１０Ａと副フィルタ回路１０Ｂとの間、連結対象となる２つの副フィルタ回路１０Ｂの間に設ける。第１連結体５１と第２連結体５２は、金属等の導電性材料で成形する。
【００５０】
第１連結体５１は、隣り合うフィルタ回路１０のそれぞれの第１回路接続部材１２に対して各々着脱自在となるように成形された１つの部材（第１連結部材）であってもよい。これと同じように、第２連結体５２は、連結対象の２つの第２回路接続部材１３に対して各々着脱自在となるように成形された１つの部材（第２連結部材）であってもよい。この例示の第１連結体５１は、隣り合うフィルタ回路１０のそれぞれの第１回路接続部材１２の内の一方に設け、その内の他方に対して電気接続可能で且つ着脱自在となるように形成する。また、この例示の第２連結体５２は、隣り合うフィルタ回路１０のそれぞれの第２回路接続部材１３の内の一方に設け、その内の他方に対して電気接続可能で且つ着脱自在となるように形成する。この例示のノイズフィルタ１においては、隣り合うフィルタ回路１０の内の一方の第１回路接続部材１２に第１連結体５１を設け、その一方のフィルタ回路１０の第２回路接続部材１３に第２連結体５２を設ける。
【００５１】
第１連結体５１は、平面同士を互いに間隔を空けて対向配置させた片体状の第１片部５１ａと第２片部５１ｂとを有する（図４）。この第１連結体５１は、第１片部５１ａと第２片部５１ｂの双方が第１回路接続部材１２と一体になってプレス成形されたものであってもよい。また、この第１連結体５１は、第１片部５１ａと第２片部５１ｂの内の一方が第１回路接続部材１２と一体になってプレス成形され、その内の他方が別部材として成形されて、第１回路接続部材１２に溶接等で固定されたものであってもよい。この例示では、後者の第１連結体５１が第１回路接続部材１２に設けられており、第１片部５１ａの一方の端部を第１回路接続部材１２と一体になってプレス成形し、別部材として成形された第２片部５１ｂの一方の端部を第１回路接続部材１２に溶接等で固定している。これにより、第１連結体５１は、一方の端部が第１回路接続部材１２に対して一体的に設けられる。
【００５２】
この第１連結体５１においては、他方の端部（第１片部５１ａと第２片部５１ｂのそれぞれの他方の端部）が、隣のフィルタ回路１０の第１回路接続部材１２に対して電気接続可能で且つ着脱自在な連結部となる。この第１連結体５１の他方の端部は、隣り合うフィルタ回路１０の配列方向に沿って、自身が設けられている第１回路接続部材１２から突出させる。この第１連結体５１は、その第１片部５１ａと第２片部５１ｂのそれぞれの他方の端部の間に隣のフィルタ回路１０の第１回路接続部材１２を挟み込み、第１片部５１ａと第２片部５１ｂとを隣の第１回路接続部材１２に対して物理的且つ電気的に接続させることによって、隣り合う第１回路接続部材１２同士を電気的に接続させる。また、この第１連結体５１が設けられている第１回路接続部材１２には、この第１連結体５１とは逆側に配置される隣のフィルタ回路１０の第１連結体５１が接続される。
【００５３】
筐体２０は、主壁体や第１周壁体２１ｂに、収容室２０ａに収容されたフィルタ回路１０が有する第１連結体５１の一方の端部を収容室２０ａの中に収め、かつ、この第１連結体５１の他方の端部を収容室２０ａの外に配置するための切欠き２１ｂ1を有している（図１）。そして、この筐体２０は、主壁体や第２周壁体２１ｃに、その第１連結体５１とは逆側に配置される隣のフィルタ回路１０の第１連結体５１の他方の端部を収容室２０ａの中に収めるための切欠き２１ｃ1を有している（図１）。この例示の第１回路接続部材１２は、その切欠き２１ｃ1から収容室２０ａの外に突出させる片体状の片部１２ｃを有する（図１及び図２）。その片部１２ｃは、隣のフィルタ回路１０の第１連結体５１の他方の端部を連結させる際のガイド部として機能する。
【００５４】
この第１連結体５１においては、第１片部５１ａと第２片部５１ｂの内の少なくとも一方に、対向配置された他方の片部に向けて突出させた接点部５１ｃを設ける（図４）。この例示の第１連結体５１においては、第１片部５１ａに接点部５１ｃを設け、この接点部５１ｃと第２片部５１ｂの平面とで隣のフィルタ回路１０の第１回路接続部材１２を挟持して、隣り合う第１回路接続部材１２同士を電気的に接続させる。この例示では、第１片部５１ａの一部を弧状に折り曲げた弧状部を接点部５１ｃとして利用している。但し、接点部５１ｃは、その第１片部５１ａから例えば半球面状に膨出させた膨出部を利用してもよい。
【００５５】
この第１連結体５１においては、第１片部５１ａと第２片部５１ｂのそれぞれの他方の端部の間に、隣り合うフィルタ回路１０の配列方向に沿って隣の第１回路接続部材１２を挿入していく。このようにして、この第１連結体５１は、第１片部５１ａと第２片部５１ｂのそれぞれの他方の端部に隣の第１回路接続部材１２を挟持させる。また、この第１連結体５１は、その他方の端部を隣の第１回路接続部材１２から抜き取ることもできる。
【００５６】
第２連結体５２は、平面同士を互いに間隔を空けて対向配置させた片体状の第１片部５２ａと第２片部５２ｂとを有する（図４）。この第２連結体５２は、第１片部５２ａと第２片部５２ｂの双方が第２回路接続部材１３と一体になってプレス成形されたものであってもよい。また、この第２連結体５２は、第１片部５２ａと第２片部５２ｂの内の一方が第２回路接続部材１３と一体になってプレス成形され、その内の他方が別部材として成形されて、第２回路接続部材１３に溶接等で固定されたものであってもよい。この例示では、後者の第２連結体５２が第２回路接続部材１３に設けられており、第１片部５２ａの一方の端部を第２回路接続部材１３と一体になってプレス成形し、別部材として成形された第２片部５２ｂの一方の端部を第２回路接続部材１３に溶接等で固定している。これにより、第２連結体５２は、一方の端部が第２回路接続部材１３に対して一体的に設けられる。
【００５７】
この第２連結体５２においては、他方の端部（第１片部５２ａと第２片部５２ｂのそれぞれの他方の端部）が、隣のフィルタ回路１０の第２回路接続部材１３に対して電気接続可能で且つ着脱自在な連結部となる。この第２連結体５２の他方の端部は、隣り合うフィルタ回路１０の配列方向に沿って、自身が設けられている第２回路接続部材１３から突出させる。この第２連結体５２は、その第１片部５２ａと第２片部５２ｂのそれぞれの他方の端部の間に隣のフィルタ回路１０の第２回路接続部材１３を挟み込み、第１片部５２ａと第２片部５２ｂとを隣の第２回路接続部材１３に対して物理的且つ電気的に接続させることによって、隣り合う第２回路接続部材１３同士を電気的に接続させる。また、この第２連結体５２が設けられている第２回路接続部材１３には、この第２連結体５２とは逆側に配置される隣のフィルタ回路１０の第２連結体５２が接続される。
【００５８】
筐体２０は、主壁体や第１周壁体２１ｂに、収容室２０ａに収容されたフィルタ回路１０が有する第２連結体５２の一方の端部を収容室２０ａの中に収め、かつ、この第２連結体５２の他方の端部を収容室２０ａの外に配置するための切欠き２１ｂ2を有している（図１）。そして、この筐体２０は、主壁体や第２周壁体２１ｃに、その第２連結体５２とは逆側に配置される隣のフィルタ回路１０の第２連結体５２の他方の端部を収容室２０ａの中に収めるための切欠き２１ｃ2を有している（図１）。この例示の第２回路接続部材１３は、その切欠き２１ｃ2から収容室２０ａの外に突出させる片体状の片部１３ｃを有する（図１及び図２）。その片部１３ｃは、隣のフィルタ回路１０の第２連結体５２の他方の端部を連結させる際のガイド部として機能する。
【００５９】
この第２連結体５２においては、第１片部５２ａと第２片部５２ｂの内の少なくとも一方に、対向配置された他方の片部に向けて突出させた接点部５２ｃを設ける（図４）。この例示の第２連結体５２においては、第１片部５２ａに接点部５２ｃを設け、この接点部５２ｃと第２片部５２ｂの平面とで隣のフィルタ回路１０の第２回路接続部材１３を挟持して、隣り合う第２回路接続部材１３同士を電気的に接続させる。この例示では、第１片部５２ａの一部を弧状に折り曲げた弧状部を接点部５２ｃとして利用している。但し、接点部５２ｃは、その第１片部５２ａから例えば半球面状に膨出させた膨出部を利用してもよい。
【００６０】
この第２連結体５２においては、第１片部５２ａと第２片部５２ｂのそれぞれの他方の端部の間に、隣り合うフィルタ回路１０の配列方向に沿って隣の第２回路接続部材１３を挿入していく。このようにして、この第２連結体５２は、第１片部５２ａと第２片部５２ｂのそれぞれの他方の端部に隣の第２回路接続部材１３を挟持させる。また、この第２連結体５２は、その他方の端部を隣の第２回路接続部材１３から抜き取ることもできる。
【００６１】
ここで、第１連結体５１は、隣り合うフィルタ回路１０の配列方向に沿って、自身が設けられている第１回路接続部材１２から他方の端部を突出させ、かつ、この第１回路接続部材１２の平面に沿って延在させている。また、第２連結体５２は、隣り合うフィルタ回路１０の配列方向に沿って、自身が設けられている第２回路接続部材１３から他方の端部を突出させ、かつ、この第２回路接続部材１３の平面に沿って延在させている。但し、この第１連結体５１と第２連結体５２は、両端部の間に弧状部や屈曲部などを設けて折り曲げ、他方の端部を一方の端部に対してオフセットさせてもよい。これにより、このノイズフィルタ１及びワイヤハーネスＷＨは、車体に組み付けた状態での周辺部品との干渉対策を図ることができる。
【００６２】
このノイズフィルタ１は、例えば、それぞれのフィルタ回路１０を連結させた後、その全てを幹線ＷＴと一緒に粘着テープ等で巻き付けて、この幹線ＷＴに抱きかかえさせればよい。
【００６３】
以上示した本実施形態のノイズフィルタ１は、連結させるフィルタ回路１０の個数を簡便な方法で変更することができるので、ノイズ低減の要求性能に応じたフィルタ回路特性の容易な調整が可能になる。よって、このノイズフィルタ１は、様々なフィルタ回路特性に容易に対応することができる。
【００６４】
図５には、周波数を横軸とし、ノイズ低減レベルを縦軸としたフィルタ回路特性の概念図を示している。本図では、破線でノイズ低減の要求性能を表し、実線で本実施形態のノイズフィルタ１のフィルタ回路特性を表し、二点鎖線でフィルタ回路１０が１つだけのノイズフィルタのフィルタ回路特性を表している。
【００６５】
更に、本実施形態のノイズフィルタ１は、第１電気接続部材３０Ａ（第１電気接続構造３０）と第２電気接続部材４０Ａ（第２電気接続構造４０）とによって、フィルタ回路１０側と第１電線ＷＥ１側及び第２電線ＷＥ２側との間を着脱自在に構成しているので、第１電線ＷＥ１及び第２電線ＷＥ２に対する着脱作業が容易になっている。よって、このノイズフィルタ１は、第１電線ＷＥ１及び第２電線ＷＥ２に対する組付け作業性に優れており、かつ、交換作業性にも優れている。また更に、本実施形態のノイズフィルタ１は、第１連結体５１と第２連結体５２とによって、隣り合うフィルタ回路１０の間を着脱自在に構成しているので、交換対象のフィルタ回路１０を特定することで、そのフィルタ回路１０のみを交換することができる。
【００６６】
また更に、本実施形態のノイズフィルタ１においては、第１回路接続部材１２と第２回路接続部材１３とを各々平板状に成形している。そして、このノイズフィルタ１においては、第１電気接続部材３０Ａの第１回路側接続部３２と第１連結体５１とを、第１回路接続部材１２の平面の間を挟み込んで電気接続させるものとして形成し、かつ、第２電気接続部材４０Ａの第２回路側接続部４２と第２連結体５２とを、第２回路接続部材１３の平面の間を挟み込んで電気接続させるものとして形成している。従って、このノイズフィルタ１は、そのそれぞれの接続構造の小型化が可能になり、延いては体格の小型化を図ることができる。また、このノイズフィルタ１は、そのそれぞれの接続構造の簡略化も可能になる。
【００６７】
ここで、従来のノイズフィルタは、前述した特許文献のように、ノイズ低減対象電線とフィルタ回路との間に中間電線を介在させている。その中間電線は、ノイズフィルタへの組付け作業性や車両への配索経路等を考慮して、長さに関する許容公差が大きく取られている。このため、従来のノイズフィルタは、その長さに応じた中間電線のノイズ成分をも考慮に入れて、フィルタ回路特性（共振点やノイズ低減性能等）の調整を行う必要がある。しかしながら、このノイズフィルタ１においては、ワイヤハーネスＷＨの幹線ＷＴに束ねられている第１電線ＷＥ１の中間接続部ＷＥ１ａと第２電線ＷＥ２の中間接続部ＷＥ２ａとの間に主フィルタ回路１０Ａを介在させ、その主フィルタ回路１０Ａをそれぞれの中間接続部ＷＥ１ａ，ＷＥ２ａに対して電気的に接続している。よって、このノイズフィルタ１は、従来のような幹線からの分岐電線（中間電線）の影響を考慮に入れたフィルタ回路特性の調整が不要になる。つまり、このノイズフィルタ１は、中間電線の影響を受けることのないものとなっている。
【００６８】
また、このノイズフィルタ１は、一方の端部を接地させる第２電線ＷＥ２の中間接続部ＷＥ２ａに対して主フィルタ回路１０Ａを電気的に接続させるので、例えば、幹線ＷＴの周囲に接地可能な導電体が存在しておらずとも、また、自らの設置対象物が合成樹脂等の絶縁性材料で成形されていたとしても、容易にアースを取ることができる。つまり、従来のノイズフィルタは、導電性の設置対象物に取り付けた際に当該設置対象物にアース端子を接続することによって、その設置対象物を介してアースを取っている。よって、従来のノイズフィルタにおいては、アース端子と設置対象物との固定作業を容易にするために、アース端子を筐体から食み出させている。しかしながら、このノイズフィルタ１は、そのようなアース端子を備えずとも、アースを取ることができる。従って、このノイズフィルタ１は、体格の小型化や軽量化を図ることができる。更に、このノイズフィルタ１は、フィルタ回路１０の個数に拘わらず、従来のノイズフィルタのようにフィルタ回路毎にアース端子を設ける必要がない。よって、このノイズフィルタ１は、組付け作業性を向上させることができる。
【００６９】
また、本実施形態のワイヤハーネスＷＨは、そのようなノイズフィルタ１を具備するものであり、このノイズフィルタ１が得られる効果を奏することができる。
【００７０】
ここで、本実施形態では、フィルタ回路１０毎に筐体２０を備えるものとして例示した。但し、本実施形態のノイズフィルタ１は、そのような筐体２０に替えて、２つ以上のフィルタ回路１０が一纏めにして収容される筐体を備えるものとして構成してもよい。
【００７１】
［変形例１］
図６及び図７の符号２は、本変形例のノイズフィルタを示す。本変形例のノイズフィルタ２は、前述した実施形態のノイズフィルタ１に対して、隣り合うフィルタ回路に各々設けた連結体同士を連結させることによって、その隣り合うフィルタ回路同士を電気的に接続させるように構成したものである。
【００７２】
［ノイズフィルタ２Ａ］
ここでは、このノイズフィルタ２の一例としてのノイズフィルタ２Ａを説明する（図６及び図７）。このノイズフィルタ２Ａは、先のノイズフィルタ１と同じように、幹線ＷＴが備える２本の電線（第１電線ＷＥ１、第２電線ＷＥ２）の間に主フィルタ回路を介在させ、その２本の電線の中間部分同士を主フィルタ回路と第１電気接続構造と第２電気接続構造とを介して電気的に接続させる。
【００７３】
このノイズフィルタ２Ａには、先のノイズフィルタ１と同じように、ノイズ成分を低減させるフィルタ回路１１０を複数備える（図６及び図７）。その複数のフィルタ回路１１０については、それぞれの中間接続部ＷＥ１ａ，ＷＥ２ａに対して電気的に接続させる１つの主フィルタ回路１１０Ａと、これ以外の残りの副フィルタ回路１１０Ｂと、に大別する。
【００７４】
フィルタ回路１１０は、先に示したフィルタ回路１０と同様の少なくとも１つのノイズ低減素子１１と第１回路接続部材１１２と第２回路接続部材１１３とを備える（図７）。
【００７５】
この例示のフィルタ回路１１０は、ノイズ低減素子１１として１つのコンデンサを備えており、この１つのコンデンサでノイズの低減を図ることができるように構成する。第１回路接続部材１１２と第２回路接続部材１１３は、先の第１回路接続部材１２や第２回路接続部材１３と同様に形成された導電部材であり、各々、金属等の導電性材料で板状のバスバとして成形されている。但し、この例示の第１回路接続部材１１２は、先の第１回路接続部材１２に対して一体的に設けた第１連結体５１と片部１２ｃとに相当するものを有していない。また、この例示の第２回路接続部材１１３は、先の第２回路接続部材１３に対して一体的に設けた第２連結体５２と片部１３ｃとに相当するものを有していない。
【００７６】
このノイズフィルタ２Ａは、フィルタ回路１１０を収容する筐体１２１を備える（図６）。その筐体１２１は、合成樹脂等の絶縁性材料で成形する。この筐体１２１は、フィルタ回路１１０毎に設けたものであってもよく、２つ以上のフィルタ回路１１０を一纏めに収容するものであってもよい。また、筐体１２１は、フィルタ回路１１０の着脱が可能な複数の筐体部材を互いに嵌め合わせて成るものであってもよく、フィルタ回路１１０に対して一体成形されたものであってもよい。
【００７７】
この筐体１２１は、後述する第１電気接続部材１３０Ａの第１回路側接続部１３２又は第１連結体１５１の第１連結部１５１ａを挿入し、その第１回路側接続部１３２又は第１連結部１５１ａを第１回路接続部材１１２に接続することが可能で、かつ、後述する第２電気接続部材１４０Ａの第２回路側接続部１４２又は第２連結体１５２の第２連結部１５２ａを挿入し、その第２回路側接続部１４２又は第２連結部１５２ａを第２回路接続部材１１３に接続することが可能な貫通孔１２１ａを２箇所に有する（図６）。それぞれの貫通孔１２１ａは、第１回路接続部材１１２と第２回路接続部材１１３のそれぞれの平面に沿って対向配置させる。
【００７８】
更に、このノイズフィルタ２Ａは、主フィルタ回路１１０Ａの第１回路接続部材１１２に対して第１電線ＷＥ１の中間接続部ＷＥ１ａを電気的に接続させる第１電気接続構造１３０と、主フィルタ回路１１０Ａの第２回路接続部材１１３を接地させる第２電気接続構造１４０と、を備える（図７）。
【００７９】
第１電気接続構造１３０は、１つの接続部材（以下、「第１電気接続部材」という。）１３０Ａとして、金属等の導電性材料で成形されたものである。この第１電気接続部材１３０Ａは、第１電線ＷＥ１の中間接続部ＷＥ１ａに対して物理的且つ電気的に接続される第１電線側接続部１３１と、主フィルタ回路１１０Ａの第１回路接続部材１１２に対して物理的且つ電気的に接続される第１回路側接続部１３２と、を有する（図７）。
【００８０】
例えば、その第１電線側接続部１３１及び第１回路側接続部１３２は、各々、先の第１電気接続部材３０Ａの第１電線側接続部３１及び第１回路側接続部３２と同様の形状のものとして形成する。よって、第１回路側接続部１３２は、平面同士を互いに間隔を空けて対向配置させた片体状の第１片部１３２ａ及び第２片部１３２ｂと、その第１片部１３２ａと第２片部１３２ｂの内の少なくとも一方に設けた接点部１３２ｃと、を有する（図７）。この例示では、第１片部１３２ａに接点部１３２ｃを設け、この接点部１３２ｃと第２片部１３２ｂの平面とで第１回路接続部材１１２を挟持して、第１回路側接続部１３２を第１回路接続部材１１２に対して物理的且つ電気的に接続させる。この第１電気接続部材１３０Ａにおいては、第１片部１３２ａと第２片部１３２ｂとの間に、隣り合うフィルタ回路１１０の配列方向に対する直交方向に沿って第１回路接続部材１１２を挿入していく。このようにして、この第１電気接続部材１３０Ａは、第１回路側接続部１３２に第１回路接続部材１１２を挟持させる。また、この第１電気接続部材１３０Ａは、その第１回路側接続部１３２を第１回路接続部材１１２から抜き取ることもできる。
【００８１】
第２電気接続構造１４０は、先の第２電気接続構造４０と同じように、一方の端部が接地されているアース電線としての第２電線ＷＥ２の中間接続部ＷＥ２ａを主フィルタ回路１１０Ａの第２回路接続部材１１３に対して電気的に接続させるものとして形成し、これにより、その第２回路接続部材１１３を接地させる。
【００８２】
第２電気接続構造１４０は、１つの接続部材（以下、「第２電気接続部材」という。）１４０Ａとして、金属等の導電性材料で成形されたものである。この第２電気接続部材１４０Ａは、第２電線ＷＥ２の中間接続部ＷＥ２ａに対して物理的且つ電気的に接続される第２電線側接続部１４１と、主フィルタ回路１１０Ａの第２回路接続部材１１３に対して物理的且つ電気的に接続される第２回路側接続部１４２と、を有する（図７）。
【００８３】
例えば、その第２電線側接続部１４１及び第２回路側接続部１４２は、各々、先の第２電気接続部材４０Ａの第２電線側接続部４１及び第２回路側接続部４２と同様の形状のものとして形成する。よって、第２回路側接続部１４２は、平面同士を互いに間隔を空けて対向配置させた片体状の第１片部１４２ａ及び第２片部１４２ｂと、その第１片部１４２ａと第２片部１４２ｂの内の少なくとも一方に設けた接点部１４２ｃと、を有する（図７）。この例示では、第１片部１４２ａに接点部１４２ｃを設け、この接点部１４２ｃと第２片部１４２ｂの平面とで第２回路接続部材１１３を挟持して、第２回路側接続部１４２を第２回路接続部材１１３に対して物理的且つ電気的に接続させる。この第２電気接続部材１４０Ａにおいては、第１片部１４２ａと第２片部１４２ｂとの間に、隣り合うフィルタ回路１１０の配列方向に対する直交方向に沿って第２回路接続部材１１３を挿入していく。このようにして、この第２電気接続部材１４０Ａは、第２回路側接続部１４２に第２回路接続部材１１３を挟持させる。また、この第２電気接続部材１４０Ａにおいては、その第２回路側接続部１４２を第２回路接続部材１１３から抜き取ることもできる。
【００８４】
更に、このノイズフィルタ２Ａは、隣り合うフィルタ回路１１０の第１回路接続部材１１２同士を間接的に電気接続させることが可能で、かつ、隣り合うフィルタ回路１１０のそれぞれの第１回路接続部材１１２の間を切り離すことが可能な第１連結体１５１を備える（図７）。更に、このノイズフィルタ２Ａは、隣り合うフィルタ回路１１０の第２回路接続部材１１３同士を間接的に電気接続させることが可能で、かつ、隣り合うフィルタ回路１１０のそれぞれの第２回路接続部材１１３の間を切り離すことが可能な第２連結体１５２を備える（図７）。第１連結体１５１と第２連結体１５２は、金属等の導電性材料で成形する。また、第１連結体１５１と第２連結体１５２は、各々、複数のフィルタ回路１１０毎に設ける。
【００８５】
第１連結体１５１は、１つの連結部材（以下、「第１連結部材」という。）として、金属等の導電性材料で成形されたものである。この第１連結体１５１は、隣り合うフィルタ回路１１０のそれぞれの第１回路接続部材１１２の内の一方に対して物理的且つ電気的に接続される着脱自在な第１連結部１５１ａと、その内の他方に接続された隣の第１連結体１５１に対して物理的且つ電気的に接続される着脱自在な第２連結部１５１ｂと、を有する（図７）。更に、この第１連結体１５１は、隣の第１連結体１５１の第２連結部１５１ｂが物理的且つ電気的に接続される被連結部１５１ｃを有する（図７）。
【００８６】
この例示の第１連結部１５１ａは、第１電気接続部材１３０Ａの第１回路側接続部１３２と同様の形状のものとして形成している。よって、この第１連結部１５１ａは、平面同士を互いに間隔を空けて対向配置させた片体状の第１片部１５１ａ1及び第２片部１５１ａ2と、その第１片部１５１ａ1と第２片部１５１ａ2の内の少なくとも一方に設けた接点部１５１ａ3と、を有する（図７）。この例示では、第１片部１５１ａ1に接点部１５１ａ3を設け、この接点部１５１ａ3と第２片部１５１ａ2の平面とで第１回路接続部材１１２を挟持して、第１連結部１５１ａを第１回路接続部材１１２に対して物理的且つ電気的に接続させる。この第１連結体１５１においては、第１片部１５１ａ1と第２片部１５１ａ2との間に、隣り合うフィルタ回路１１０の配列方向に対する直交方向に沿って第１回路接続部材１１２を挿入していく。このようにして、この第１連結体１５１は、第１連結部１５１ａに第１回路接続部材１１２を挟持させる。また、この第１連結体１５１は、その第１連結部１５１ａを第１回路接続部材１１２から抜き取ることもできる。
【００８７】
この例示の第２連結部１５１ｂは、その第１連結部１５１ａと同様の形状のものとして形成している。よって、この第２連結部１５１ｂは、平面同士を互いに間隔を空けて対向配置させた片体状の第１片部１５１ｂ1及び第２片部１５１ｂ2と、その第１片部１５１ｂ1と第２片部１５１ｂ2の内の少なくとも一方に設けた接点部１５１ｂ3と、を有する（図７）。この例示では、第１片部１５１ｂ1に接点部１５１ｂ3を設け、この接点部１５１ｂ3と第２片部１５１ｂ2の平面とで隣の第１連結体１５１の被連結部１５１ｃを挟持して、第２連結部１５１ｂを隣の第１連結体１５１の被連結部１５１ｃに対して物理的且つ電気的に接続させる。この第１連結体１５１においては、第１片部１５１ｂ1と第２片部１５１ｂ2との間に、隣り合うフィルタ回路１１０の配列方向に沿って隣の第１連結体１５１の被連結部１５１ｃを挿入していく。このようにして、この第１連結体１５１は、第２連結部１５１ｂに隣の第１連結体１５１の被連結部１５１ｃを挟持させる。また、この第１連結体１５１は、その第２連結部１５１ｂを隣の第１連結体１５１の被連結部１５１ｃから抜き取ることもできる。
【００８８】
被連結部１５１ｃは、隣の第１連結体１５１の第２連結部１５１ｂに挟持される平板状の部位である。この第１連結体１５１においては、第１連結部１５１ａと第２連結部１５１ｂとの間に被連結部１５１ｃを配置している。この例示の被連結部１５１ｃは、第１回路接続部材１１２と同一の平面上に配置されるものとして、又は、第１回路接続部材１１２の平面に対して直交方向にオフセットさせた平面を有するものとして形成する。また、この例示の被連結部１５１ｃは、２つの片部を有するＬ字の平板状に形成して、一方の片部に第１連結部１５１ａを配置し、他方の片部に第２連結部１５１ｂを配置している。この例示の被連結部１５１ｃは、一方の片部を隣り合うフィルタ回路１１０の配列方向に対する直交方向に沿って延在させ、他方の片部を隣り合うフィルタ回路１１０の配列方向に沿って延在させている。
【００８９】
ここで、この第１連結体１５１は、主フィルタ回路１１０Ａと副フィルタ回路１１０Ｂとに各々対応させて設ける。但し、この例示のノイズフィルタ２Ａにおいては、第１連結部１５１ａと同様の機能を持つ第１回路側接続部１３２が第１電気接続部材１３０Ａに形成されている。そこで、このノイズフィルタ２Ａにおいては、その第１電気接続部材１３０Ａに第２連結部１５１ｂと被連結部１５１ｃの内の少なくとも一方の機能も持たせることによって、主フィルタ回路１１０Ａの第１電気接続部材１３０Ａと第１連結体１５１とを１つの部品として構成し、かつ、第１連結体１５１を副フィルタ回路１１０Ｂのみに対応させる専用部品として設ける。この例示の第１電気接続部材１３０Ａは、第２連結部１５１ｂと被連結部１５１ｃの双方の機能も持つものとして形成しており、第１連結体１５１としての機能も兼ねている（図７）。
【００９０】
第２連結体１５２は、１つの連結部材（以下、「第２連結部材」という。）として、金属等の導電性材料で成形されたものである。この第２連結体１５２は、隣り合うフィルタ回路１１０のそれぞれの第２回路接続部材１１３の内の一方に対して物理的且つ電気的に接続される着脱自在な第１連結部１５２ａと、その内の他方に接続された隣の第２連結体１５２に対して物理的且つ電気的に接続される着脱自在な第２連結部１５２ｂと、を有する（図７）。更に、この第２連結体１５２は、隣の第２連結体１５２の第２連結部１５２ｂが物理的且つ電気的に接続される被連結部１５２ｃを有する（図７）。
【００９１】
この例示の第１連結部１５２ａは、第２電気接続部材１４０Ａの第２回路側接続部１４２と同様の形状のものとして形成している。よって、この第１連結部１５２ａは、平面同士を互いに間隔を空けて対向配置させた片体状の第１片部１５２ａ1及び第２片部１５２ａ2と、その第１片部１５２ａ1と第２片部１５２ａ2の内の少なくとも一方に設けた接点部１５２ａ3と、を有する（図７）。この例示では、第１片部１５２ａ1に接点部１５２ａ3を設け、この接点部１５２ａ3と第２片部１５２ａ2の平面とで第２回路接続部材１１３を挟持して、第１連結部１５２ａを第２回路接続部材１１３に対して物理的且つ電気的に接続させる。この第２連結体１５２においては、第１片部１５２ａ1と第２片部１５２ａ2との間に、隣り合うフィルタ回路１１０の配列方向に対する直交方向に沿って第２回路接続部材１１３を挿入していく。このようにして、この第２連結体１５２は、第１連結部１５２ａに第２回路接続部材１１３を挟持させる。また、この第２連結体１５２は、その第１連結部１５２ａを第２回路接続部材１１３から抜き取ることもできる。
【００９２】
この例示の第２連結部１５２ｂは、その第１連結部１５２ａと同様の形状のものとして形成している。よって、この第２連結部１５２ｂは、平面同士を互いに間隔を空けて対向配置させた片体状の第１片部１５２ｂ1及び第２片部１５２ｂ2と、その第１片部１５２ｂ1と第２片部１５２ｂ2の内の少なくとも一方に設けた接点部１５２ｂ3と、を有する（図７）。この例示では、第１片部１５２ｂ1に接点部１５２ｂ3を設け、この接点部１５２ｂ3と第２片部１５２ｂ2の平面とで隣の第２連結体１５２の被連結部１５２ｃを挟持して、第２連結部１５２ｂを隣の第２連結体１５２の被連結部１５２ｃに対して物理的且つ電気的に接続させる。この第２連結体１５２においては、第１片部１５２ｂ1と第２片部１５２ｂ2との間に、隣り合うフィルタ回路１１０の配列方向に沿って隣の第２連結体１５２の被連結部１５２ｃを挿入していく。このようにして、この第２連結体１５２は、第２連結部１５２ｂに隣の第２連結体１５２の被連結部１５２ｃを挟持させる。また、この第２連結体１５２は、その第２連結部１５２ｂを隣の第２連結体１５２の被連結部１５２ｃから抜き取ることもできる。
【００９３】
被連結部１５２ｃは、隣の第２連結体１５２の第２連結部１５２ｂに挟持される平板状の部位である。この第２連結体１５２においては、第１連結部１５２ａと第２連結部１５２ｂとの間に被連結部１５２ｃを配置している。この例示の被連結部１５２ｃは、第２回路接続部材１１３と同一の平面上に配置されるものとして、又は、第２回路接続部材１１３の平面に対して直交方向にオフセットさせた平面を有するものとして形成する。また、この例示の被連結部１５２ｃは、２つの片部を有するＬ字の平板状に形成して、一方の片部に第１連結部１５２ａを配置し、他方の片部に第２連結部１５２ｂを配置している。この例示の被連結部１５２ｃは、一方の片部を隣り合うフィルタ回路１１０の配列方向に対する直交方向に沿って延在させ、他方の片部を隣り合うフィルタ回路１１０の配列方向に沿って延在させている。
【００９４】
ここで、この第２連結体１５２は、主フィルタ回路１１０Ａと副フィルタ回路１１０Ｂとに各々対応させて設ける。但し、この例示のノイズフィルタ２Ａにおいては、第１連結部１５２ａと同様の機能を持つ第２回路側接続部１４２が第２電気接続部材１４０Ａに形成されている。そこで、このノイズフィルタ２Ａにおいては、その第２電気接続部材１４０Ａに第２連結部１５２ｂと被連結部１５２ｃの内の少なくとも一方の機能も持たせることによって、主フィルタ回路１１０Ａの第２電気接続部材１４０Ａと第２連結体１５２とを１つの部品として構成し、かつ、第２連結体１５２を副フィルタ回路１１０Ｂのみに対応させる専用部品として設ける。この例示の第２電気接続部材１４０Ａは、第２連結部１５２ｂと被連結部１５２ｃの双方の機能も持つものとして形成しており、第２連結体１５２としての機能も兼ねている（図７）。
【００９５】
このノイズフィルタ２Ａは、第１電気接続部材１３０Ａを収容する第１筐体１２２Ａと、第２電気接続部材１４０Ａを収容する第２筐体１２２Ｂと、第１連結体１５１を収容する第３筐体１２２Ｃと、第２連結体１５２を収容する第４筐体１２２Ｄと、を備える（図６）。その第１から第４の筐体１２２Ａ，１２２Ｂ，１２２Ｃ，１２２Ｄは、合成樹脂等の絶縁性材料で成形する。
【００９６】
第１筐体１２２Ａは、第１電気接続部材１３０Ａの他に、第１電線ＷＥ１の中間接続部ＷＥ１ａについても収容する。この第１筐体１２２Ａは、少なくとも第１電気接続部材１３０Ａの第１電線側接続部１３１と第１電線ＷＥ１の中間接続部ＷＥ１ａとの間の着脱が可能な複数の筐体部材を互いに嵌め合わせて成る。この例示の第１筐体１２２Ａは、隣の第３筐体１２２Ｃに収容されている第１連結体１５１の第２連結部１５１ｂを挿入し、その第２連結部１５１ｂを第１電気接続部材１３０Ａにおける被連結部１５１ｃに接続することが可能な貫通孔１２２Ａ1を有する（図６）。
【００９７】
第２筐体１２２Ｂは、第２電気接続部材１４０Ａの他に、第２電線ＷＥ２の中間接続部ＷＥ２ａについても収容する。この第２筐体１２２Ｂは、少なくとも第２電気接続部材１４０Ａの第２電線側接続部１４１と第２電線ＷＥ２の中間接続部ＷＥ２ａとの間の着脱が可能な複数の筐体部材を互いに嵌め合わせて成る。この例示の第２筐体１２２Ｂは、隣の第４筐体１２２Ｄに収容されている第２連結体１５２の第２連結部１５２ｂを挿入し、その第２連結部１５２ｂを第２電気接続部材１４０Ａにおける被連結部１５２ｃに接続することが可能な貫通孔１２２Ｂ1を有する（図６）。
【００９８】
第３筐体１２２Ｃは、第１連結体１５１の着脱が可能な複数の筐体部材を互いに嵌め合わせて成るものであってもよく、第１連結体１５１に対して一体成形されたものであってもよい。この例示の第３筐体１２２Ｃは、隣の第３筐体１２２Ｃに収容されている第２連結体１５１の第２連結部１５１ｂを挿入し、その第２連結部１５１ｂを自らが収容している第１連結体１５１の被連結部１５１ｃに接続することが可能な貫通孔１２２Ｃ1を有する（図６）。
【００９９】
第４筐体１２２Ｄは、第２連結体１５２の着脱が可能な複数の筐体部材を互いに嵌め合わせて成るものであってもよく、第２連結体１５２に対して一体成形されたものであってもよい。この例示の第４筐体１２２Ｄは、隣の第４筐体１２２Ｄに収容されている第２連結体１５２の第２連結部１５２ｂを挿入し、その第２連結部１５２ｂを自らが収容している第２連結体１５２の被連結部１５２ｃに接続することが可能な貫通孔１２２Ｄ1を有する（図６）。
【０１００】
このノイズフィルタ２Ａは、全ての部品を連結させた後、その全てを幹線ＷＴと一緒に粘着テープ等で巻き付けて、この幹線ＷＴに抱きかかえさせればよい。
【０１０１】
以上示したノイズフィルタ２Ａ及びワイヤハーネスＷＨは、このように構成しても、先のノイズフィルタ１及びワイヤハーネスＷＨと同様の効果を得ることができる。
【０１０２】
［ノイズフィルタ２Ｂ］
ここで、本変形例のノイズフィルタ２は、先のノイズフィルタ２Ａにおいて、第２電気接続構造１４０を次のような第２電気接続構造２４０に置き換えたノイズフィルタ２Ｂとして構成してもよい（図８及び図９）。
【０１０３】
この例示の第２電気接続構造２４０は、主フィルタ回路１１０Ａの第２回路接続部材１１３を接地させるためのアース端子２４０Ａを備えるものであり、そのアース端子２４０Ａを介して第２回路接続部材１１３を接地させる（図９）。
【０１０４】
アース端子２４０Ａは、金属等の導電性材料で成形する。このアース端子２４０Ａは、導電性の設置対象物（車体等）に取り付けるアース接続部２４１と、主フィルタ回路１１０Ａの第２回路接続部材１１３に対して物理的且つ電気的に接続される第２回路側接続部２４２と、を有する（図９）。
【０１０５】
アース接続部２４１は、平板状に形成され、雄螺子部（図示略）を挿通させる貫通孔２４１ａを有する（図９）。このアース接続部２４１は、設置対象物に載せ置かれ、この設置対象物と共に螺子部材（図示略）で共締め固定することによって、この設置対象物を介して接地される。
【０１０６】
第２回路側接続部２４２は、先の第２電気接続部材１４０Ａの第２回路側接続部１４２と同様の形状のものとして形成する。よって、第２回路側接続部２４２は、平面同士を互いに間隔を空けて対向配置させた片体状の第１片部２４２ａ及び第２片部２４２ｂと、その第１片部２４２ａと第２片部２４２ｂの内の少なくとも一方に設けた接点部２４２ｃと、を有する（図９）。この例示では、第１片部２４２ａに接点部２４２ｃを設け、この接点部２４２ｃと第２片部２４２ｂの平面とで第２回路接続部材１１３を挟持して、第２回路側接続部２４２を第２回路接続部材１１３に対して物理的且つ電気的に接続させる。このアース端子２４０Ａにおいては、第１片部２４２ａと第２片部２４２ｂとの間に、隣り合うフィルタ回路１１０の配列方向に対する直交方向に沿って第２回路接続部材１１３を挿入していく。このようにして、このアース端子２４０Ａは、第２回路側接続部２４２に第２回路接続部材１１３を挟持させる。また、このアース端子２４０Ａにおいては、その第２回路側接続部２４２を第２回路接続部材１１３から抜き取ることもできる。
【０１０７】
ここで、このノイズフィルタ２Ｂにおいては、先のノイズフィルタ２Ａと同じように、アース端子２４０Ａに第２連結部１５２ｂと被連結部１５２ｃの内の少なくとも一方の機能も持たせることによって、アース端子２４０Ａと第２連結体１５２とを１つの部品として構成し、かつ、第２連結体１５２を副フィルタ回路１１０Ｂのみに対応させる専用部品として設ける。この例示のアース端子２４０Ａは、第２連結部１５２ｂと被連結部１５２ｃの双方の機能も持つものとして形成しており、第２連結体１５２としての機能も兼ねている（図９）。
【０１０８】
このノイズフィルタ２Ｂは、そのアース端子２４０Ａを内方に収容すると共に、このアース端子２４０Ａのアース接続部２４１を外方に露出させる第２筐体２２２Ｂを備える（図８）。その第２筐体２２２Ｂは、合成樹脂等の絶縁性材料で成形する。この第２筐体２２２Ｂは、アース接続部２４１を外方に突出させる。この第２筐体２２２Ｂは、アース端子２４０Ａの着脱が可能な複数の筐体部材を互いに嵌め合わせて成るものであってもよく、アース端子２４０Ａに対して一体成形されたものであってもよい。この第２筐体２２２Ｂは、隣の第４筐体１２２Ｄに収容されている第２連結体１５２の第２連結部１５２ｂを挿入し、その第２連結部１５２ｂをアース端子２４０Ａにおける被連結部１５２ｃに接続することが可能な貫通孔２２２Ｂ1を有する（図８）。
【０１０９】
尚、この例示の主フィルタ回路１１０Ａの筐体１２１においては、その貫通孔１２１ａにアース端子２４０Ａの第２回路側接続部２４２が挿入されて、その第２回路側接続部２４２が内方で主フィルタ回路１１０Ａの第２回路接続部材１１３に接続される。
【０１１０】
このノイズフィルタ２Ｂは、全ての部品を連結させた後、その全てを幹線ＷＴと一緒に粘着テープ等で巻き付けて、この幹線ＷＴに抱きかかえさせてもよい。
【０１１１】
以上示したノイズフィルタ２Ｂ及びワイヤハーネスＷＨは、このように構成しても、先のノイズフィルタ２Ａ及びワイヤハーネスＷＨと同様の効果を得ることができる。
【０１１２】
［変形例２］
図１０及び図１１の符号３は、本変形例のノイズフィルタを示す。本変形例のノイズフィルタ３は、前述した実施形態のノイズフィルタ１に対して、複数のフィルタ回路を１つの導電部材で連結させることによって、それぞれのフィルタ回路同士を電気的に接続させるように構成したものである。
【０１１３】
［ノイズフィルタ３Ａ］
ここでは、このノイズフィルタ３の一例としてのノイズフィルタ３Ａを説明する（図１０及び図１１）。このノイズフィルタ３Ａは、先のノイズフィルタ１と同じように、幹線ＷＴが備える２本の電線（第１電線ＷＥ１、第２電線ＷＥ２）の間に主フィルタ回路を介在させ、その２本の電線の中間部分同士を主フィルタ回路と第１電気接続構造と第２電気接続構造とを介して電気的に接続させる。
【０１１４】
このノイズフィルタ３Ａには、先のノイズフィルタ１と同じように、ノイズ成分を低減させるフィルタ回路３１０を複数備える（図１１）。フィルタ回路３１０は、ノイズ成分を低減させる少なくとも１つのノイズ低減素子１１と、このノイズ低減素子１１の第１素子接続部が電気的に接続された導電性の第１回路接続部材３１２と、ノイズ低減素子１１の第２素子接続部が電気的に接続された導電性の第２回路接続部材３１３と、を備える（図１１）。この例示のフィルタ回路３１０は、ノイズ低減素子１１として１つのコンデンサを備えており、この１つのコンデンサでノイズの低減を図ることができるように構成する。
【０１１５】
第１回路接続部材３１２と第２回路接続部材３１３は、ノイズ低減素子１１を介して互いを電気的に接続させる導電部材である。この例示の第１回路接続部材３１２と第２回路接続部材３１３は、各々、金属等の導電性材料で平板状の音叉端子として成形されている（図１１）。第１回路接続部材３１２においては、端子部の根元にノイズ低減素子１１の第１素子接続部が物理的且つ電気的に接続される。また、第２回路接続部材３１３においては、端子部の根元にノイズ低減素子１１の第２素子接続部が物理的且つ電気的に接続される。
【０１１６】
このノイズフィルタ３Ａは、フィルタ回路３１０を収容する筐体３２１を備える（図１０）。その筐体３２１は、合成樹脂等の絶縁性材料で成形する。この筐体３２１は、フィルタ回路３１０毎に設けたものであってもよく、２つ以上のフィルタ回路３１０を一纏めに収容するものであってもよい。また、筐体３２１は、フィルタ回路３１０の着脱が可能な複数の筐体部材を互いに嵌め合わせて成るものであってもよく、フィルタ回路３１０に対して一体成形されたものであってもよい。
【０１１７】
この筐体３２１は、第１回路接続部材３１２と第２回路接続部材３１３のそれぞれの平面が、隣り合うフィルタ回路３１０の配列方向に対する直交平面となるように、第１回路接続部材３１２と第２回路接続部材３１３とを収容する。また、この筐体３２１は、第１回路接続部材３１２の端子部における相手方挿入口と第２回路接続部材３１３の端子部における相手方挿入口とが互いに逆を向くように、第１回路接続部材３１２と第２回路接続部材３１３とを収容する。この筐体３２１は、後述する第１電気接続部材３３０Ａの第１接続部位３３３を挿入し、その第１接続部位３３３を第１回路接続部材３１２に接続することが可能で、かつ、後述する第２電気接続部材３４０Ａの第２接続部位３４３を挿入し、その第２接続部位３４３を第２回路接続部材３１３に接続することが可能な切欠き部３２１ａを２箇所に有する（図１０）。具体的に、それぞれの切欠き部３２１ａは、第１電気接続部材３３０Ａの後述する第１回路側接続部３３２の一辺を挿入することが可能で、かつ、第２電気接続部材３４０Ａの後述する第２回路側接続部３４２の一辺を挿入することが可能なものとして形成する。それぞれの切欠き部３２１ａにおいては、対応する第１接続部位３３３又は第２接続部位３４３が挿入され、第１接続部位３３３が第１回路接続部材３１２に接続されると共に、第２接続部位３４３が第２回路接続部材３１３に接続される。
【０１１８】
更に、このノイズフィルタ３Ａは、複数のフィルタ回路３１０の内の１つ（主フィルタ回路）の第１回路接続部材３１２に対して第１電線ＷＥ１の中間接続部ＷＥ１ａを電気的に接続させる第１電気接続構造３３０と、その主フィルタ回路の第２回路接続部材３１３を接地させる第２電気接続構造３４０と、を備える（図１１）。この例示の第１電気接続構造３３０は、第１電線ＷＥ１の中間接続部ＷＥ１ａを複数のフィルタ回路３１０のそれぞれの第１回路接続部材３１２に対して電気的に接続させる。また、この例示の第２電気接続構造３４０は、複数のフィルタ回路３１０のそれぞれの第２回路接続部材３１３を接地させる。
【０１１９】
第１電気接続構造３３０は、１つの接続部材（以下、「第１電気接続部材」という。）３３０Ａとして、金属等の導電性材料で成形されたものである（図１１）。この第１電気接続部材３３０Ａは、第１電線ＷＥ１の中間接続部ＷＥ１ａに対して物理的且つ電気的に接続される第１電線側接続部３３１と、複数のフィルタ回路３１０のそれぞれの第１回路接続部材３１２に対して物理的且つ電気的に接続される第１回路側接続部３３２と、を有する（図１１）。この例示の第１電気接続部材３３０Ａは、板状のバスバとして成形されている。
【０１２０】
例えば、第１電線側接続部３３１は、先の第１電気接続部材３０Ａの第１電線側接続部３１と同様の形状のものとして形成する。
【０１２１】
一方、第１回路側接続部３３２は、矩形の平板状に形成し、一辺を複数のフィルタ回路３１０のそれぞれの第１回路接続部材３１２に挿入させ、それぞれの第１回路接続部材３１２の接点部同士で挟持させるように形成する。この第１回路側接続部３３２においては、それぞれの第１回路接続部材３１２の接点部同士で挟持されるそれぞれの部位が第１電気接続部材３３０Ａの第１接続部位３３３になる。よって、この第１回路側接続部３３２は、それぞれの第１接続部位３３３を複数のフィルタ回路３１０のそれぞれの第１回路接続部材３１２に挿入することによって、そのそれぞれの第１回路接続部材３１２に対して物理的且つ電気的に接続される。また、この第１電気接続部材３３０Ａは、その第１回路側接続部３３２をそれぞれの第１回路接続部材３１２から抜き取ることもできる。
【０１２２】
ここで、この第１回路側接続部３３２においては、隣り合うフィルタ回路３１０のそれぞれの第１回路接続部材３１２に対して接続される２つの第１接続部位３３３の間で、そのそれぞれの第１回路接続部材３１２を間接的に電気接続させる。また、この第１回路側接続部３３２は、そのそれぞれの第１回路接続部材３１２から抜き取ることによって、そのそれぞれの第１回路接続部材３１２の間を切り離すことができる。よって、この第１回路側接続部３３２は、隣り合う２つの第１接続部位３３３の間を先の第１連結体５１として利用することができる。
【０１２３】
第２電気接続構造３４０は、先の第２電気接続構造４０と同じように、一方の端部が接地されているアース電線としての第２電線ＷＥ２の中間接続部ＷＥ２ａを主フィルタ回路の第２回路接続部材３１３に対して電気的に接続させるものとして形成し、これにより、その第２回路接続部材３１３を接地させる。但し、この例示の第２電気接続構造３４０は、第２電線ＷＥ２の中間接続部ＷＥ２ａを複数のフィルタ回路３１０のそれぞれの第２回路接続部材３１３に対して電気的に接続させることによって、そのそれぞれの第２回路接続部材３１３を接地させる。
【０１２４】
第２電気接続構造３４０は、１つの接続部材（以下、「第２電気接続部材」という。）３４０Ａとして、金属等の導電性材料で成形されたものである（図１１）。この第２電気接続部材３４０Ａは、第２電線ＷＥ２の中間接続部ＷＥ２ａに対して物理的且つ電気的に接続される第２電線側接続部３４１と、複数のフィルタ回路３１０のそれぞれの第２回路接続部材３１３に対して物理的且つ電気的に接続される第２回路側接続部３４２と、を有する（図１１）。この例示の第２電気接続部材３４０Ａは、板状のバスバとして成形されている。
【０１２５】
例えば、第２電線側接続部３４１は、先の第２電気接続部材４０Ａの第２電線側接続部４１と同様の形状のものとして形成する。
【０１２６】
一方、第２回路側接続部３４２は、矩形の平板状に形成し、一辺を複数のフィルタ回路３１０のそれぞれの第２回路接続部材３１３に挿入させ、それぞれの第２回路接続部材３１３の接点部同士で挟持させるように形成する。この第２回路側接続部３４２においては、それぞれの第２回路接続部材３１３の接点部同士で挟持されるそれぞれの部位が第２電気接続部材３４０Ａの第２接続部位３４３になる。よって、この第２回路側接続部３４２は、それぞれの第２接続部位３４３を複数のフィルタ回路３１０のそれぞれの第２回路接続部材３１３に挿入することによって、そのそれぞれの第２回路接続部材３１３に対して物理的且つ電気的に接続される。また、この第２電気接続部材３４０Ａは、その第２回路側接続部３４２をそれぞれの第２回路接続部材３１３から抜き取ることもできる。
【０１２７】
ここで、この第２回路側接続部３４２においては、隣り合うフィルタ回路３１０のそれぞれの第２回路接続部材３１３に対して接続される２つの第２接続部位３４３の間で、そのそれぞれの第２回路接続部材３１３を間接的に電気接続させる。また、この第２回路側接続部３４２は、そのそれぞれの第２回路接続部材３１３から抜き取ることによって、そのそれぞれの第２回路接続部材３１３の間を切り離すことができる。よって、この第２回路側接続部３４２は、隣り合う２つの第２接続部位３４３の間を先の第２連結体５２として利用することができる。
【０１２８】
このノイズフィルタ３Ａは、第１電気接続部材３３０Ａを収容する第１筐体３２２Ａと、第２電気接続部材３４０Ａを収容する第２筐体３２２Ｂと、を備える（図１０）。その第１及び第２の筐体３２２Ａ，３２２Ｂは、合成樹脂等の絶縁性材料で成形する。
【０１２９】
第１筐体３２２Ａは、第１電気接続部材３３０Ａの他に、第１電線ＷＥ１の中間接続部ＷＥ１ａについても収容する。この第１筐体３２２Ａは、少なくとも第１電気接続部材３３０Ａの第１電線側接続部３３１と第１電線ＷＥ１の中間接続部ＷＥ１ａとの間の着脱が可能な複数の筐体部材を互いに嵌め合わせて成る。この第１筐体３２２Ａは、第１電気接続部材３３０Ａにおける第１回路側接続部３３２のそれぞれの第１接続部位３３３を露出させる。
【０１３０】
第２筐体３２２Ｂは、第２電気接続部材３４０Ａの他に、第２電線ＷＥ２の中間接続部ＷＥ２ａについても収容する。この第２筐体３２２Ｂは、少なくとも第２電気接続部材３４０Ａの第２電線側接続部３４１と第２電線ＷＥ２の中間接続部ＷＥ２ａとの間の着脱が可能な複数の筐体部材を互いに嵌め合わせて成る。この第２筐体３２２Ｂは、第２電気接続部材３４０Ａにおける第２回路側接続部３４２のそれぞれの第２接続部位３４３を露出させる。
【０１３１】
このノイズフィルタ３Ａは、全ての部品を連結させた後、その全てを幹線ＷＴと一緒に粘着テープ等で巻き付けて、この幹線ＷＴに抱きかかえさせればよい。
【０１３２】
以上示したノイズフィルタ３Ａ及びワイヤハーネスＷＨは、このように構成しても、先のノイズフィルタ１及びワイヤハーネスＷＨと同様の効果を得ることができる。
【０１３３】
［ノイズフィルタ３Ｂ］
ここで、本変形例のノイズフィルタ３は、先のノイズフィルタ３Ａにおいて、第２電気接続構造３４０を次のような第２電気接続構造４４０に置き換えたノイズフィルタ３Ｂとして構成してもよい（図１２及び図１３）。
【０１３４】
この例示の第２電気接続構造４４０は、主フィルタ回路の第２回路接続部材３１３を接地させるためのアース端子４４０Ａを備えるものであり、そのアース端子４４０Ａを介して第２回路接続部材３１３を接地させる。但し、この例示の第２電気接続構造４４０は、そのアース端子４４０Ａを複数のフィルタ回路３１０のそれぞれの第２回路接続部材３１３に対して電気的に接続させることによって、そのそれぞれの第２回路接続部材３１３を接地させる。
【０１３５】
アース端子４４０Ａは、金属等の導電性材料で成形する。このアース端子４４０Ａは、導電性の設置対象物（車体等）に取り付けるアース接続部４４１と、複数のフィルタ回路３１０のそれぞれの第２回路接続部材３１３に対して物理的且つ電気的に接続される第２回路側接続部４４２と、を有する（図１３）。この例示のアース端子４４０Ａは、板状のバスバとして成形されている。
【０１３６】
アース接続部４４１は、先のアース接続部２４１と同等の形状のものとして形成されており、雄螺子部（図示略）を挿通させる貫通孔４４１ａを有する（図１３）。よって、このアース接続部４４１は、設置対象物に載せ置かれ、この設置対象物と共に螺子部材（図示略）で共締め固定することによって、この設置対象物を介して接地される。
【０１３７】
第２回路側接続部４４２は、先の第２回路側接続部３４２と同じように、矩形の平板状に形成し、一辺を複数のフィルタ回路３１０のそれぞれの第２回路接続部材３１３に挿入させ、それぞれの第２回路接続部材３１３の接点部同士で挟持させるように形成する。このため、この第２回路側接続部４４２においては、それぞれの第２回路接続部材３１３の接点部同士で挟持されるそれぞれの部位が先の第２接続部位３４３と同様の第２接続部位４４３になる。よって、この第２回路側接続部４４２は、それぞれの第２接続部位４４３を複数のフィルタ回路３１０のそれぞれの第２回路接続部材３１３に挿入することによって、そのそれぞれの第２回路接続部材３１３に対して物理的且つ電気的に接続される。また、このアース端子４４０Ａは、その第２回路側接続部４４２をそれぞれの第２回路接続部材３１３から抜き取ることもできる。
【０１３８】
このノイズフィルタ３Ｂは、そのアース端子４４０Ａを内方に収容すると共に、このアース端子４４０Ａのアース接続部４４１を外方に露出させる第２筐体４２２Ｂを備える（図１２）。その第２筐体４２２Ｂは、合成樹脂等の絶縁性材料で成形する。この第２筐体４２２Ｂは、アース接続部４４１を外方に突出させる。この第２筐体４２２Ｂは、アース端子４４０Ａの着脱が可能な複数の筐体部材を互いに嵌め合わせて成るものであってもよく、アース端子４４０Ａに対して一体成形されたものであってもよい。この第２筐体４２２Ｂは、アース端子４４０Ａにおける第２回路側接続部４４２のそれぞれの第２接続部位４４３を露出させる。
【０１３９】
このノイズフィルタ３Ｂは、全ての部品を連結させた後、その全てを幹線ＷＴと一緒に粘着テープ等で巻き付けて、この幹線ＷＴに抱きかかえさせてもよい。
【０１４０】
以上示したノイズフィルタ３Ｂ及びワイヤハーネスＷＨは、このように構成しても、先のノイズフィルタ１及びワイヤハーネスＷＨと同様の効果を得ることができる。
【符号の説明】
【０１４１】
１，２，２Ａ，２Ｂ，３，３Ａ，３Ｂ  ノイズフィルタ
１０，１１０，３１０  フィルタ回路
１０Ａ，１１０Ａ  主フィルタ回路
１０Ｂ，１１０Ｂ  副フィルタ回路
１１  ノイズ低減素子
１２，１１２，３１２  第１回路接続部材
１３，１１３，３１３  第２回路接続部材
３０，１３０，３３０  第１電気接続構造
４０，１４０，２４０，３４０，４４０  第２電気接続構造
３０Ａ，１３０Ａ，３３０Ａ  第１電気接続部材
３１，１３１，３３１  第１電線側接続部
３２，１３２，３３２  第１回路側接続部
４０Ａ，１４０Ａ，３４０Ａ  第２電気接続部材
４１，１４１，３４１  第２電線側接続部
４２，１４２，３４２，２４２，４４２  第２回路側接続部
５１，１５１  第１連結体
５２，１５２  第２連結体
１５１ａ  第１連結部
１５１ｂ  第２連結部
１５２ａ  第１連結部
１５２ｂ  第２連結部
２４０Ａ，４４０Ａ  アース端子
３３３  第１接続部位
ＷＥ１  第１電線
ＷＥ１ａ  中間接続部
ＷＥ２  第２電線
ＷＥ２ａ  中間接続部
ＷＥａ  芯線
ＷＨ  ワイヤハーネス
ＷＴ  幹線
【図１】
2020010122.tif 000003
【図２】
2020010122.tif 000004
【図３】
2020010122.tif 000005
【図４】
2020010122.tif 000006
【図５】
2020010122.tif 000007
【図６】
2020010122.tif 000008
【図７】
2020010122.tif 000009
【図８】
2020010122.tif 000010
【図９】
2020010122.tif 000011
【図１０】
2020010122.tif 000012
【図１１】
2020010122.tif 000013
【図１２】
2020010122.tif 000014
【図１３】
2020010122.tif 000015